(57)【特許請求の範囲】
【請求項１】
玄関又は門扉等の住戸外に設置され、来訪者が呼出操作を行い呼出信号を生成するための呼出ボタン（１００ａ）を有し、前記住戸外における人の動きを検知し警戒開始信号及び警報信号を生成するための滞留感知センサ（２ａ、２ｂ）が接続される複数の子機（１ａ、１ｂ）と、住戸内に設置され、前記複数の子機からの前記親機呼び出しを報知し、当該親機呼び出しに居住者が応答して通話を成立させるための親機（３）とが伝送路（Ｌ2a、Ｌ2b）を経由して接続され、
前記複数の子機には、前記滞留感知センサが接続され、当該滞留感知センサからの前記警戒開始信号及び前記警報信号を受信するためのセンサ接続Ｉ／Ｆ（１１０）と、前記呼出信号、前記警戒開始信号及び前記警報信号を判別可能に電圧変化させてパターン化するための電圧パターン化部（１０７）と、前記親機から電源供給される子機待受給電又は当該子機待受給電より高い電圧レベルの子機本給電を検知するための電圧監視回路（１０８ａ）と、前記電圧監視回路にて前記子機待受給電の電源供給が有ることを検知したとき前記電圧パターン化部により電圧変化させてパターン化された信号を、前記伝送路を経由して前記親機に送信するためのデータ送受信回路（１０８ｂ）と、前記電圧パターン化部、前記電圧監視回路及び前記データ送受信回路を制御するための子機制御部（１０８）とを備え、
前記親機には、前記伝送路を経由して前記子機から伝送されてくる電圧変化されパターン化された信号を検出するための電圧検出部（３１１ａ、３１１ｂ）と、前記電圧検出部にて検出される前記電圧変化のパターンを識別するためのパターン識別回路（３１２ａ）と、前記パターン識別回路にて識別されるパターン情報が入力されたとき前記子機本給電を前記子機に電源供給し、前記子機の前記データ送受信回路から送信される前記呼出信号、前記センサの警戒開始信号及び前記警報信号をデータ送受信回路（３１２ｂ）にて受信するための親機制御部（３１２）とを備えることを特徴とするインターホン装置。
【発明の詳細な説明】
【技術分野】
【０００１】
本発明はインターホン装置に係り、特に、センサが接続される複数の子機を親機に接続し、特定の子機及び親機の間で成立中の通話を終了せずに、通話対象外の子機からの呼出報知及び当該通話対象外の子機に接続されるセンサの警報報知を親機にて行うことができるインターホン装置に関する。
【背景技術】
【０００２】
従来から、親機からの電源供給を受電して動作し、親機を呼び出して通話を成立させることができる子機を有する装置として、例えば、特許文献１に記載のドアホン連動装置が開示されている。
【０００３】
このドアホン連動装置において、通常、玄関先（住戸玄関先）に設置されるドアホン子機及び通常、住戸内に設置されるインターホン親機が待受状態、すなわち、ドアホン子機からインターホン親機への呼び出しがなく通話も行われていない場合、ドアホン子機とインターホン親機とを接続するドアホン伝送線路上には、待受用の直流電圧が重畳されている。
【０００４】
ここで、ドアホン子機の呼出機能が能動、例えば、玄関先に居る来訪者が住戸内の居住者を呼び出すための呼出操作を行うと、ドアホン伝送線路上に重畳されている直流電圧の電圧レベルは、待受用の直流電圧から呼出用の直流電圧に電圧降下し、この電圧降下を検出したインターホン親機では、呼出報知機能が能動、例えば、呼出音を鳴動する。
【０００５】
また、前述のドアホン子機と同様な呼出機能のみならず、映像撮像機能として、カメラを備えた玄関子機を有する特許文献２に記載のインターホン装置が開示されている。
【０００６】
このインターホン装置によれば、待受用の直流電圧から呼出用の直流電圧への電圧降下を検出した居室親機が直流電圧を上昇させ、玄関子機のカメラを駆動することにより、カメラにて撮像された映像を居室親機のモニタに出画させることができる。
【０００７】
【特許文献１】特開２００３−２８３６７６号公報
【特許文献２】特開２００６−１６５６９４号公報
【発明の開示】
【発明が解決しようとする課題】
【０００８】
しかしながら、背景技術に記載した特許文献１のドアホン連動装置及び特許文献２のインターホン装置によれば、何れの装置においても子機は、親機からの電源供給を受電して動作するものであり、待受用の直流電圧から呼出用の直流電圧に電圧降下されたことがトリガとなって子機から親機への呼び出しが行われるため、この子機にセンサを接続する、例えば、人の動きを検知する滞留感知センサ等を接続した場合、トリガとなる電圧降下の単一の検出手段のみでは、子機からの親機への呼出報知なのか、センサの状態を示す確認報知又は警報報知なのかを判別できなかった。
【０００９】
また、センサが接続される子機が複数台、親機に接続されていた場合、特定の子機及び親機の間で成立中の通話時に通話対象外の子機から親機への呼出報知を判別するにあたっては、親機から通話対象外の子機に電源供給せねばならず消費電力が大きくなるばかりでなく、通話対象外の子機に接続されるセンサの状態を示す確認報知又は警報報知を判別するにあたっては、特定の子機及び親機の間で成立中の通話を終了せねばならず煩雑さを有していた。
【００１０】
本発明は、これらの難点を解消するためになされたもので、センサが接続される複数の子機のうち、特定の子機及び親機の間で成立中の通話時において、通話対象外の子機からの呼出報知、通話対象外の子機に接続されるセンサの警報報知を、成立中の通話を終了せずに親機にて行うとともに、親機から通話対象外の子機への電力供給を制限して省電力化を図ることができるインターホン装置を提供することを目的としている。
【課題を解決するための手段】
【００１１】
前述の目的を達成するため、本発明の態様であるインターホン装置は、玄関又は門扉等の住戸外に設置され、来訪者が呼出操作を行い呼出信号を生成するための呼出ボタンを有し、住戸外における人の動きを検知し警戒開始信号及び警報信号を生成するための滞留感知センサが接続される複数の子機と、住戸内に設置され、複数の子機からの呼び出しを報知し、当該呼び出しに居住者が応答して通話を成立させるための親機とが伝送路を経由して接続されている。複数の子機には、滞留感知センサが接続され、当該滞留感知センサからの警戒開始信号及び警報信号を受信するためのセンサ接続Ｉ／Ｆと、呼出信号、警戒開始信号及び警報信号を判別可能に電圧変化させてパターン化するための電圧パターン化部と、親機から電源供給される子機待受給電又は当該子機待受給電より高い電圧レベルの子機本給電を検知するための電圧監視回路と、電圧監視回路にて子機待受給電の電源供給が有ることを検知したとき電圧パターン化部により電圧変化させてパターン化された信号を、伝送路を経由して親機に送信するためのデータ送受信回路と、電圧パターン化部、電圧監視回路及びデータ送受信回路を制御するための子機制御部とを備えている。親機には、伝送路を経由して子機から伝送されてくる電圧変化されパターン化された信号を検出するための電圧検出部と、電圧検出部にて検出される電圧変化のパターンを識別するためのパターン識別回路と、パターン識別回路にて識別されるパターン情報が入力されたとき子機本給電を子機に電源供給し、子機のデータ送受信回路から送信される呼出信号、センサの警戒開始信号及び警報信号をデータ送受信回路にて受信するための親機制御部とを備えている。
【発明の効果】
【００１２】
本発明のインターホン装置によれば、滞留感知センサが接続される複数の子機からの呼出信号、滞留感知センサにて人の検知動作が開始された旨の警戒開始信号及び滞留感知センサにて検知される人の動きに異常が発生した旨の警報信号を、親機からの電源供給により伝送路上に重畳される電源の電圧レベルを子機の電圧パターン化部の制御によって変化させパターン化された信号として、子機のデータ送受信回路から伝送路を経由して親機に送信することができる。親機では、電圧レベルが変化されパターン化された信号を電圧検出部で検出し、子機から伝送路を経由して送信されてくる信号の種別をデータ送受信回路にて識別することができる。
【００１３】
これにより、センサが接続される複数の子機のうち、特定の子機及び親機の間で成立中の通話時において、通話対象外の子機からの呼出信号、通話対象外の子機に接続される滞留感知からの警報信号の種別を識別するにあたり、成立中の通話を終了せず、さらには、親機から通話対象外の子機への電力供給を制限した状態で可能となるため、省電力化を図ることができる。
【発明を実施するための最良の形態】
【００１４】
以下、本発明のインターホン装置を適用した最良の実施の形態例について、図面を参照して説明する。
【００１５】
図１は、本発明の実施例によるインターホン装置の具体的な構成を示すブロック図である。このインターホン装置には、玄関又は門扉等の住戸外に設置され、来訪者が住戸内に在室中の居住者を呼び出して通話を成立させるとともに、呼出操作を行った来訪者の映像や住戸外の映像を撮像するための複数の子機、ここでは、２台の子機１ａ、１ｂと、個別の伝送路（以下、子機／センサラインという。）Ｌ1a、Ｌ1bにより子機１ａ、１ｂに有線又は無線接続され、住戸外における人の動きを検知するための滞留感知センサ２ａ、２ｂと、住戸内に設置され、個別の伝送路（以下、子機／親機ラインという。）Ｌ2a、Ｌ2bにより有線接続された子機１ａ、１ｂからの呼び出しが報知され、この呼び出しに応答した居住者が来訪者との間で通話を成立させるとともに、子機１ａ、１ｂにて撮像された映像を出画し、さらには、滞留感知センサ２ａ、２ｂにて人の検知動作が開始された旨又は終了した旨の確認報知、滞留感知センサ２ａ、２ｂにて検知される人の動きに異常が発生した旨の警報報知をそれぞれ行うための親機３とが設けられている。
【００１６】
また、子機１ａ、１ｂはそれぞれ、その構成として、子機操作部１００、カメラ１０１、子機映像処理部１０２、子機マイク１０３、子機スピーカ１０４、子機音声処理部１０５、子機電源部１０６、電圧パターン化部１０７、子機制御部１０８、親機接続Ｉ／Ｆ（以下、親機側子機Ｉ／Ｆという。）１０９及びセンサ接続Ｉ／Ｆ（以下、センサ側子機Ｉ／Ｆという。）１１０が備えられている。
【００１７】
この子機１ａ、１ｂにおいて、子機操作部１００は、子機制御部１０８によって操作検出され、住戸外に居る来訪者が住戸内に在室中の居住者を呼び出すために操作するものであり、例えば、呼出ボタン１００ａで構成されている。
【００１８】
カメラ１０１は、子機制御部１０８によって制御され、呼出操作を行った来訪者の映像や住戸外の映像を撮像するためのものであり、例えば、ＣＣＤ、ＣＭＯＳ等の各種の映像撮像体で構成されている。また、子機映像処理部１０２は、子機制御部１０８によって制御され、カメラ１０１にて撮像された映像の映像信号について、例えば、ＦＭ変調、増幅等の所定の信号処理を行うためのものである。
【００１９】
子機マイク１０３及び子機スピーカ１０４は、来訪者が居住者との間で通話を成立させるための音声（送話音声、受話音声）を入出力するものである。また、子機音声処理部１０５は、子機制御部１０８によって制御され、子機マイク１０３及び子機スピーカ１０４にて入出力される音声（送話音声、受話音声）の音声信号について、例えば、４線／２線変換、２線／４線変換、増幅等の所定の信号処理を行うためのものである。
【００２０】
子機電源部１０６は、親機３から個別の子機／親機ラインＬ2a、Ｌ2bを経由して電源供給されてくる子機電源（子機待受給電、子機本給電）を受電し、子機１ａ、１ｂの構成各部に電源供給するためのものである。
【００２１】
電圧パターン化部１０７は、子機制御部１０８によって制御され、子機電源部１０６にて受電される子機電源（子機待受給電）の電圧レベルを、子機操作部１００を構成する呼出ボタン１００ａの操作により生成される呼出信号、滞留感知センサ２ａ、２ｂにて人の検知動作が開始されたことを示す警戒開始信号又は終了したことを示す警戒終了信号、滞留感知センサ２ａ、２ｂにて検知される人の動きに異常が発生したことを示す警報信号をそれぞれ判別可能にするために電圧変化させてパターン化するものである。
【００２２】
子機制御部１０８は、子機１ａ、１ｂの構成各部を制御するためのものである。この子機制御部１０８には、親機３から個別の子機／親機ラインＬ2a、Ｌ2bを経由して電源供給されてくる子機電源（子機待受給電、子機本給電）の有無を検知するための電圧監視回路１０８ａと、電圧監視回路１０８ａにて電源供給が有ることを検知したとき、電圧パターン化部１０７により子機電源の電圧レベルを変化させてパターン化された前述の呼出信号、警戒開始信号、警戒終了信号及び警報信号を、個別の子機／親機ラインＬ2a、Ｌ2bを経由して親機３に送信するとともに、親機３から個別の子機／親機ラインＬ2a、Ｌ2bを経由して送信されてくる信号（例えば、居住者による応答操作があった旨の応答信号、終話操作があった旨又は通話時間がタイムアップとなった旨の終話信号等）を受信するためのデータ送受信回路（以下、子機データ送受信回路という。）１０８ｂとが備えられている。
【００２３】
また、子機制御部１０８は、電圧監視回路１０８ａにて子機電源（子機本給電）の電源供給が有ることを検知したとき、カメラ１０１及び子機映像処理部１０２が能動となるように制御することができる。また、子機制御部１０８は、親機３の親機操作部３００を構成する通話ボタン３００ａにて応答操作が行われたとき、子機音声処理部１０５が能動となるように制御する一方、この通話ボタン３００ａにて終話操作が行われたとき、又は後述する親機制御部３１２にて計時される所定の通話時間のタイムアップが検出されたとき、子機音声処理部１０５が非能動となるように制御することができる。さらに、子機制御部１０８は、子機電源部１０６から当該子機の構成各部に供給される子機電源（子機待受給電、子機本給電）の電圧レベルを可変させることができる。
【００２４】
親機側子機Ｉ／Ｆ１０９は、子機映像処理部１０２から個別の子機／親機ラインＬ2a、Ｌ2bへの信号伝送路と、子機音声処理部１０５及び個別の子機／親機ラインＬ2a、Ｌ2b間の双方向の信号伝送路、すなわち、通話路と、個別の子機／親機ラインＬ2a、Ｌ2bから子機電源部１０６への電源供給路と、子機制御部１０８（の子機データ送受信回路１０８ａ）及び個別の子機／親機ラインＬ2a、Ｌ2b間の双方向の信号伝送路とをそれぞれ形成するためのものである。
【００２５】
センサ側子機Ｉ／Ｆ１１０は、子機制御部１０８及び個別の子機／センサラインＬ1a、Ｌ1b間の信号伝送路を形成するためのものである。
【００２６】
さらに、親機３には、その構成として、親機操作部３００、モニタ３０１、親機映像処理部３０２、親機マイク３０３、親機スピーカ３０４、親機音声処理部３０５、親機電源部３０６、子機電源供給部３０７、電源供給制限抵抗３０８ａ、３０８ｂ、電源スイッチ３０９、子機接続切替スイッチ３１０、電圧検出部３１１ａ、３１１ｂ、親機制御部３１２及び親機Ｉ／Ｆ３１３が備えられている。
【００２７】
この親機３において、親機操作部３００は、親機制御部３１２によって操作検出され、来訪者からの呼び出しに居住者が応答し、親機マイク３０３及び親機スピーカ３０４の使用による通話を成立させるとともに、成立中の通話を終了させるために操作を行うものであり、例えば、通話ボタン３００ａで構成されている。なお、親機操作部３００の態様としては、モニタ３０１の前面に配置されるタッチパネル（図示せず。）も好適である。
【００２８】
モニタ３０１は、親機制御部３１２によって制御され、子機１ａ、１ｂのカメラ１０１にて撮像された映像を出画するためのものであり、例えば、ＬＣＤ、ＰＤＰ、ＴＦＴ、有機ＥＬディスプレイ等の各種の表示媒体で構成されている。
【００２９】
親機映像処理部３０２は、親機制御部３１２によって制御され、来訪者による子機１ａ、１ｂからの呼出時にカメラ１０１にて撮像され、個別の子機／親機ラインＬ2a、Ｌ2bを経由して送信されてくる映像信号について、例えば、ＦＭ復調、増幅等の所定の信号処理を行い、モニタ３０１に出画させるためのものである。
【００３０】
親機マイク３０３及び親機スピーカ３０４は、居住者が来訪者との間で通話を成立させるための音声（送話音声、受話音声）を入出力するものである。また、親機スピーカ３０４は、前述の通話機能のみならず、来訪者による子機１ａ、１ｂからの呼び出しがある旨の呼出音や音声メッセージ等を出力する呼出報知機能と、滞留感知センサ２ａ、２ｂにて人の検知動作が開始された旨又は終了した旨の確認音や音声メッセージ等を出力する確認報知機能と、滞留感知センサ２ａ、２ｂにて検知される人の動きに異常が発生した旨の警報音や音声メッセージ等を出力する警報報知機能とが備えられており、これらの呼出報知機能、確認報知機能及び警報報知機能は、親機制御部３１２によって制御されるものである。
【００３１】
親機音声処理部３０５は、親機制御部３１２によって制御され、親機マイク３０３及び親機スピーカ３０４にて入出力される音声（送話音声、受話音声）の音声信号について、例えば、４線／２線変換、２線／４線変換、増幅等の所定の信号処理を行うためのものである。
【００３２】
親機電源部３０６は、親機制御部３１２によって制御され、例えば、商用電源の整流・平滑により親機電源（親機待受給電、親機本給電）を生成し、当該親機の構成各部に供給するためのものである。
【００３３】
子機電源供給部３０７は、親機制御部３１２によって制御され、親機電源部３０６にて生成された親機電源（親機待受給電、親機本給電）の電圧レベルを可変させて、子機電源を生成するためのものである。
【００３４】
電源供給制限抵抗３０８ａ、３０８ｂはそれぞれ、子機電源供給部３０７にて生成された子機電源の電圧レベルを降下させ、子機待受給電となるように制御するためのものであり、個別の子機／親機ラインＬ2a、Ｌ2bに接続されている。
【００３５】
電源スイッチ３０９は、親機制御部３１２の制御によって切り替えられ、子機電源供給部３０７にて生成された子機電源（子機本給電）の電源供給ラインを、形成又は遮断するためのものである。
【００３６】
子機接続切替スイッチ３１０は、親機制御部３１２の制御によって切り替えられ、個別の子機／親機ラインＬ2a及び親機Ｉ／Ｆ３１３間の双方向の信号伝送路と、個別の子機／親機ラインＬ2b及び親機Ｉ／Ｆ３１３間の双方向の信号伝送路とのうち、何れか一方の当該信号伝送路を形成し、他方の信号伝送路は遮断するためのものである。
【００３７】
電圧検出部３１１ａは、子機１ａから子機／親機ラインＬ2aを経由して送信されてくる電圧レベルが変化されパターン化された信号（呼出信号、警戒開始信号、警戒終了信号及び警報信号）を検出し、その検出結果であるパターン情報を親機制御部３１２に送出するためのものである。また、電圧検出部３１１ｂは、子機１ｂから子機／親機ラインＬ2bを経由して送信されてくる電圧レベルが変化されパターン化された信号（呼出信号、警戒開始信号、警戒終了信号及び警報信号）を検出し、その検出結果であるパターン情報を親機制御部３１２に送信するためのものである。
【００３８】
親機制御部３１２は、親機３の構成各部を制御するためのものである。この親機制御部３１２には、電圧検出部３１１ａ、３１１ｂにて検出される電圧変化のパターンを識別するためのパターン識別回路３１２ａと、子機１ａ、１ｂから個別の子機／親機ラインＬ2a、Ｌ2bを経由して送信されてくる電圧レベルが変化されパターン化された信号を判別し、その信号が呼出信号、警戒開始信号、警戒終了信号及び警報信号のうち何れかの当該信号であるのかを識別するとともに、個別の子機／親機ラインＬ2a、Ｌ2bを経由して子機１ａ、１ｂへの信号（例えば、居住者により親機操作部３００を構成する通話ボタン３００ａにて応答操作があった旨の応答信号、終話操作があった旨又は通話時間がタイムアップとなった旨の終話信号等）を送信するためのデータ送受信回路（以下、親機データ送受信回路という。）３１２ｂとが備えられている。
【００３９】
また、親機制御部３１２は、親機データ送受信回路３１２ｂにて呼出信号が識別されたとき、来訪者による子機１ａ、１ｂからの呼び出しがあることを検出し、その旨の呼出音や音声メッセージ等を親機スピーカ３０４から出力させることができる。また、親機制御部３１２は、親機データ送受信回路３１２ｂにて警戒開始信号が識別されたとき、滞留感知センサ２ａ、２ｂにて人の検知動作が開始されたことを検出し、その旨の確認音や音声メッセージ等を親機スピーカ３０４から出力させることができる。また、親機制御部３１２は、親機データ送受信回路３１２ｂにて警戒終了信号が識別されたとき、滞留感知センサ２ａ、２ｂにて人の検知動作が終了したことを検出し、その旨の確認音や音声メッセージ等を親機スピーカ３０４から出力させることができる。また、親機制御部３１２は、親機データ送受信回路３１２ｂにて警報信号が識別されたとき、滞留感知センサ２ａ、２ｂにて検知される人の動きに異常が発生したことを検出し、その旨の警報音や音声メッセージ等を親機スピーカ３０４から出力させることができる。また、親機制御部３１２は、親機操作部３００を構成する通話ボタン３００ａにて応答操作が行われたとき、親機音声処理部３０５が能動となるように制御する一方、この通話ボタン３００ａにて終話操作が行われたとき、又は所定の通話時間のタイムアップが検出されたとき、親機音声処理部３０５が非能動となるように制御することができる。
【００４０】
親機Ｉ／Ｆ３１３は、個別の子機／親機ラインＬ2a、Ｌ2bから（子機接続切替スイッチ３１０を経由して）親機映像処理部３０２への信号伝送路と、親機音声処理部３０５及び（子機接続切替スイッチ３１０を経由して）個別の子機／親機ラインＬ2a、Ｌ2b間の双方向の信号伝送路、すなわち、通話路と、子機電源供給部３０７から（電源スイッチ３０９及び子機接続切替スイッチ３１０を経由して）個別の子機／親機ラインＬ2a、Ｌ2bへの電源供給路と、親機制御部３１２（を構成する親機データ送受信回路３１２ａ）及び（子機接続切替スイッチ３１０を経由して）個別の子機／親機ラインＬ2a、Ｌ2b間の双方向の信号伝送路とをそれぞれ形成するためのものである。
【００４１】
このように構成された本発明の実施例によるインターホン装置において、以下、具体的な動作について、図１のブロック図及び図２（Ａ）、（Ｂ）、（Ｃ）、（Ｄ）の各説明図を参照して説明する。なお、図２（Ａ）、（Ｂ）、（Ｃ）、（Ｄ）はそれぞれ、子機１ａ、１ｂ及び親機３の間を有線接続する子機／親機ラインＬ2a、Ｌ2bの当該ライン上に重畳される子機電源の電圧レベルの遷移を示すものである。
【００４２】
図１に示すインターホン装置が待受状態であるとき、親機３の子機接続切替スイッチ３１０は、子機／親機ラインＬ2a及び親機Ｉ／Ｆ３１３間の双方向の信号伝送路と、子機／親機ラインＬ2b及び親機Ｉ／Ｆ３１３間の双方向の信号伝送路とのうち、何れか一方の信号伝送路を形成し、他方の信号伝送路は遮断している。ここでは、子機／親機ラインＬ2a及び親機Ｉ／Ｆ３１３間の双方向の信号伝送路のみが形成されているものとする。
【００４３】
また、前述の待受状態において、親機３の親機電源部３０６は、例えば、商用電源の整流・平滑により親機電源を生成し、親機待受給電として当該親機の構成各部に供給している。この電源を受電した子機電源供給部３０７は、電源供給制限抵抗３０８ａ、３０８ｂを経由して電源レベルが降下された子機待受給電として、例えば、図２（Ａ）に示すＤＣ１０Ｖの子機電源を、個別の子機／親機ラインＬ2a、Ｌ2bの当該ライン上に重畳させることができる。
【００４４】
さらに、前述の待受状態において、個別の子機／親機ラインＬ2a、Ｌ2bの当該ライン上に重畳された子機待受給電は、子機１ａ、１ｂの子機電源部１０６にて受電された後、この子機電源部１０６から当該子機の構成各部に供給され、その電圧レベルは、子機制御部１０８の電圧監視回路１０８ａにて監視されている。
【００４５】
なお、前述の待受状態において、親機３の電源スイッチ３０９は、親機制御部３１２によりオフ状態に制御されているものとする。
【００４６】
次に、前述の待受状態における動作（以下、第１の動作という。）として、住戸外に居る来訪者が住戸内に在室中の居住者を呼び出すために、子機１ａ、１ｂのうち、ここでは、子機１ａの子機操作部１００を構成する呼出ボタン１００ａを操作すると、この呼出操作を検出した子機制御部１０８は、電圧パターン化部１０７を制御して、子機／親機ラインＬ2aの当該ライン上に重畳されている子機待受給電の電圧レベルを所定のパターンで降下させる。例えば、図２（Ａ）に示す第１のパターンでＤＣ１０ＶからＤＣ２．５Ｖに降下させることができる。
【００４７】
親機３の電圧検出部３１１ａは、子機／親機ラインＬ2aの当該ライン上に重畳されている子機待受給電の電圧レベルが、図２（Ａ）に示す第１のパターンでＤＣ１０ＶからＤＣ２．５Ｖに降下されたことを検出し、この電圧降下のパターン情報を親機制御部３１２に送信する。
【００４８】
親機３の親機制御部３１２において、パターン識別回路３１２ａは、電圧検出部３１１ａからのパターン情報が入力されたとき、来訪者による子機１ａからの呼び出しがあること、又は滞留感知センサ２ａにて検知される人の動きに異常が発生したことのうち、何れかの状態であると認識はできるものの、その特定はできない。そこで、親機制御部３１２は、電源スイッチ３０９がオン状態となるように制御し、子機本給電として、子機電源供給部３０７への制御により電圧レベルを上昇させた例えば、図２（Ａ）に示すＤＣ２０Ｖの子機電源を、オン状態の電源スイッチ３０９、親機Ｉ／Ｆ３１３、子機接続切替スイッチ３１０を経由して子機／親機ラインＬ2aの当該ライン上に重畳させることができる。
【００４９】
このとき、子機／親機ラインＬ2aの当該ライン上に重畳された図２（Ａ）に示すＤＣ２０Ｖの子機本給電は、子機１ａの子機電源部１０６にて受電されることにより、その電圧レベルを子機制御部１０８の電圧監視回路１０８ａが検出し、子機データ送受信回路１０８ｂから親機側子機Ｉ／Ｆ１０９、子機／親機ラインＬ2a、親機３の子機接続切替スイッチ３１０、親機Ｉ／Ｆ３１３を経由して親機制御部３１２の親機データ送受信回路３１２ｂへと呼出信号が送信される。
【００５０】
親機３の親機制御部３１２は、親機データ送受信回路３１２ｂにて受信された呼出信号をもとに、来訪者による子機１ａからの呼び出しがあることを検出し、その旨の呼出報知を、親機スピーカ３０４を使用して行うことができる。また、親機制御部３１２は、親機電源部３０６への制御により電圧レベルが上昇された親機本給電を生成させるとともに、モニタ３０１及び親機映像処理部３０２が能動となるように制御し、来訪者による子機１ａからの呼び出しがある旨の呼出報知を、モニタ３０１を使用して行うこともできる。
【００５１】
また、子機／親機ラインＬ2aの当該ライン上に重畳された図２（Ａ）に示すＤＣ２０Ｖの子機本給電が子機１ａの子機電源部１０６にて受電されると、この子機電源部１０６からの電源供給が動作電源となるカメラ１０１及び子機映像処理部１０２が子機制御部１０８によって能動となり、呼出操作を行った来訪者の映像や住戸外の映像の撮像がカメラ１０１にて開始され、この撮像された映像の映像信号は、子機映像処理部１０２、子機側親機Ｉ／Ｆ１０９、子機／親機ラインＬ2a、親機３の子機接続切替スイッチ３１０、親機Ｉ／Ｆ３１３、親機映像処理部３０２を経由して適宜に信号処理された後、モニタ３０１へと送信され出画されることなる。
【００５２】
なお、親機３のモニタ３０１及び親機スピーカ３０４を使用した呼出報知、モニタ３０１に出画された映像をもとに、来訪者による子機１ａからの呼び出しを当該来訪者の識別と併せて確認できた居住者は、通話を成立させるために親機操作部３００を構成する通話ボタン３００ａを操作すると、この応答操作を検出した親機制御部３１２及び子機１ａの子機制御部１０８の制御（詳述せず。）により、居住者が使用する親機マイク３０３及び親機スピーカ３０４と、親機音声処理部３０５、親機Ｉ／Ｆ３１３、子機接続切替スイッチ３１０、子機／親機ラインＬ2a、子機１ａの親機側子機Ｉ／Ｆ１０９、子機音声処理部１０５を経由して来訪者が使用する子機マイク１０３及び子機スピーカ１０４との間の信号伝送路、すなわち、通話路が形成され、形成された通話路を経由して音声信号を送受信させることで通話が成立する。
【００５３】
また、前述の通話時において、子機１ａの子機電源部１０６には、親機３の子機電源供給部３０７からの電源供給として、図２（Ａ）に示すＤＣ２０Ｖの子機本給電が継続しているものとする。
【００５４】
さらに、前述の通話路は、通話を終了させるために親機３の親機操作部３００を構成する通話ボタン３００ａを居住者が再度操作する、又は前述の応答操作を検出してから親機制御部３１２にて計時が開始される所定の通話時間がタイムアップになるまで継続されるものである。
【００５５】
なお、前述までの第１の動作説明では、待受状態において住戸外に居る来訪者が住戸内に在室中の居住者を呼び出すにあたり、子機１ａの子機操作部１００を構成する呼出ボタン１００ａを操作した場合について説明したが、この態様に限定されず、子機１ｂの子機操作部１００を構成する呼出ボタン１００ａを操作した場合についても、子機／親機ラインＬ2aを経由して有線接続される子機１ａ及び親機３の間で呼び出し、通話の動作が予め行われていない限り、同様な動作が行われることになる。
【００５６】
次に、前述の待受状態における動作（以下、第２の動作という。）として、滞留感知センサ２ａ、２ｂのうち、ここでは、滞留感知センサ２ａにて人の検知動作が開始されると、この動作開始をセンサ側子機Ｉ／Ｆ１１０を経由して検出した子機１ａの子機制御部１０８は、電圧パターン化部１０７を制御して、子機／親機ラインＬ2aの当該ライン上に重畳されている子機待受給電の電圧レベルを所定のパターンで降下させる。例えば、図２（Ｂ）に示すように、前述の第１の動作時（呼出時）における第１のパターンとは異なる第２のパターンでＤＣ１０ＶからＤＣ２．５Ｖに降下させることができる。
【００５７】
親機３の電圧検出部３１１ａは、子機／親機ラインＬ2aの当該ライン上に重畳されている子機待受給電の電圧レベルが、図２（Ｂ）に示す第２のパターンでＤＣ１０ＶからＤＣ２．５Ｖに降下されたことを検出し、この電圧降下のパターン情報を親機制御部３１２に送信する。
【００５８】
親機３の親機制御部３１２において、パターン識別回路３１２ａは、電圧検出部３１１ａからのパターン情報が入力されたとき、滞留感知センサ２ａにて人の検知動作が開始されたこと、又はその検知動作が終了したことのうち、何れかの状態であると認識はできるものの、その特定はできない。そこで、親機制御部３１２は、電源スイッチ３０９がオン状態となるように制御し、子機本給電として、子機電源供給部３０７への制御により電圧レベルを上昇させた例えば、図２（Ｂ）に示すＤＣ２０Ｖの子機電源を、オン状態の電源スイッチ３０９、親機Ｉ／Ｆ３１３、子機接続切替スイッチ３１０を経由して子機／親機ラインＬ2aの当該ライン上に重畳させることができる。
【００５９】
このとき、子機／親機ラインＬ2aの当該ライン上に重畳された図２（Ｂ）に示すＤＣ２０Ｖの子機本給電は、子機１ａの子機電源部１０６にて受電されることにより、その電圧レベルを子機制御部１０８の電圧監視回路１０８ａが検出し、子機データ送受信回路１０８ｂから親機側子機Ｉ／Ｆ１０９、子機／親機ラインＬ2a、親機３の子機接続切替スイッチ３１０、親機Ｉ／Ｆ３１３を経由して親機制御部３１２の親機データ送受信回路３１２ｂへと警戒開始信号が送信される。
【００６０】
親機３の親機制御部３１２は、親機データ送受信回路３１２ｂにて受信された警戒開始信号をもとに、滞留感知センサ２ａにて人の検知動作が開始されたことを検出し、その旨の確認報知を、親機スピーカ３０４を使用して行うことができる。
【００６１】
なお、前述までの第２の動作説明では、待受状態において、滞留感知センサ２ａ、２ｂのうち、滞留感知センサ２ａにて人の検知動作が開始されたときの動作について説明したが、この態様に限定されず、滞留感知センサ２ｂにて人の検知動作が開始されたときの動作についても、同様に行われることになる。
【００６２】
また、前述までの第２の動作説明では、待受状態において、滞留感知センサ２ａ、２ｂにて人の検知動作が開始されたときの動作について説明したが、この検知動作が一定時間内継続し、その後、終了したときには、第２の動作説明と同一の図２（Ｂ）に示す第２のパターンで、子機／親機ラインＬ2a、Ｌ2bの当該ライン上に重畳されている子機待受給電の電圧レベルが降下し、これを検出した親機３の親機制御部３２の制御により子機１ａ、１ｂへと子機本給電が行われる。これにより、子機１ａ、１ｂの子機制御部１０８を構成する子機データ送受信回路１０８ａから親機３の親機制御部３１２を構成する親機データ送受信回路３１２ｂへと警戒終了信号が送信され、この警戒終了信号を検出した親機制御部３１２の制御によって、滞留感知センサ２ａ、２ｂにて人の検知動作が終了した旨の確認報知を、親機スピーカ３０４を使用して行うことができる。
【００６３】
次に、第３の動作として、滞留感知センサ２ａにて人の検知動作が継続して行われている状態において、検知される人が例えば、泥棒等の不審者で、その動作に異常が検知されると、この異常検知をセンサ側子機Ｉ／Ｆ１１０を経由して検出した子機１ａの子機制御部１０８は、電圧パターン化部１０７を制御して、子機／親機ラインＬ2aの当該ライン上に重畳されている子機待受給電の電圧レベルを所定のパターンで降下させる。例えば、図２（Ａ）に示すように、前述の第１の動作時（呼出時）における第１のパターンと同一のパターンでＤＣ１０ＶからＤＣ２．５Ｖに降下させることができる。
【００６４】
親機３の電圧検出部３１１ａは、子機／親機ラインＬ2aの当該ライン上に重畳されている子機待受給電の電圧レベルが、図２（Ａ）に示す第１のパターンでＤＣ１０ＶからＤＣ２．５Ｖに降下されたことを検出し、この電圧降下のパターン情報を親機制御部３１２に送信する。
【００６５】
親機３の親機制御部３１２において、パターン識別回路３１２ａは、電圧検出部３１１ａからのパターン情報が入力されたとき、来訪者による子機１ａからの呼び出しがあること、又は滞留感知センサ２ａにて検知される人の動きに異常が発生したことのうち、何れかの状態であると識別はできるものの、その特定はできない。そこで、親機制御部３１２は、電源スイッチ３０９がオン状態となるように制御し、子機本給電として、子機電源供給部３０７への制御により電圧レベルを上昇させた例えば、図２（Ａ）に示すＤＣ２０Ｖの子機電源を、オン状態の電源スイッチ３０９、親機Ｉ／Ｆ３１３、子機接続切替スイッチ３１０を経由して子機／親機ラインＬ2aの当該ライン上に重畳させることができる。
【００６６】
このとき、子機／親機ラインＬ2aの当該ライン上に重畳された図２（Ａ）に示すＤＣ２０Ｖの子機本給電は、子機１ａの子機電源部１０６にて受電されることにより、その電圧レベルを子機制御部１０８の電圧監視回路１０８ａが検出し、子機データ送受信回路１０８ｂから親機側子機Ｉ／Ｆ１０９、子機／親機ラインＬ2a、親機３の子機接続切替スイッチ３１０、親機Ｉ／Ｆ３１３を経由して親機制御部３１２の親機データ送受信回路３１２ｂへと警報信号が送信される。
【００６７】
親機３の親機制御部３１２は、親機データ送受信回路３１２ｂにて受信された警報信号をもとに、滞留感知センサ２ａにて検知される人の動きに異常が発生したことを検出し、その旨の警報報知を、親機スピーカ３０４を使用して行うことができる。
【００６８】
なお、前述までの第３の動作説明では、滞留感知センサ２ａにて人の検知動作が継続して行われている状態において、滞留感知センサ２ａにて検知される人の動きに異常があったときの動作について説明したが、この態様に限定されず、滞留感知センサ２ｂにて人の検知動作が継続して行われている状態において、滞留感知センサ２ｂにて検知される人の動きに異常があったときの動作についても同様に行われることになる。
【００６９】
次に、前述の第１の動作で明らかな子機１ａの子機操作部１００を構成する呼出ボタン１００ａを操作した来訪者と住戸内に在室中の居住者との間で通話が成立している場合の動作（以下、第４の動作という。）として、別途の来訪者が、子機１ｂの子機操作部１００を構成する呼出ボタン１００ａを操作すると、この呼出操作を検出した子機制御部１０８は、電圧パターン化部１０７を制御して、子機／親機ラインＬ2bの当該ライン上に重畳されている子機待受給電の電圧レベルを所定のパターンで降下させる。例えば、図２（Ｃ）に示すように、前述の第１、第３の各動作時（呼出時、異常検知時）における第１のパターンと同一のパターンでＤＣ１０ＶからＤＣ２．５Ｖに降下させることができる。
【００７０】
同様に、前述の第１の動作で明らかな子機１ａの子機操作部１００を構成する呼出ボタン１００ａを操作した来訪者と住戸内に在室中の居住者との間で通話が成立している場合の動作（以下、第５の動作という。）として、滞留感知センサ２ｂにて人の検知動作が継続して行われており、検知される人が例えば、泥棒等の不審者で、その動作に異常が検知されると、この異常検知をセンサ側子機Ｉ／Ｆ１１０を経由して検出した子機１ｂの子機制御部１０８は、電圧パターン化部１０７を制御して、子機／親機ラインＬ2bの当該ライン上に重畳されている子機待受給電の電圧レベルを所定のパターンで降下させる。例えば、図２（Ｃ）に示すように、前述の第１、第３、第４の各動作時（呼出時、異常検知時）における第１のパターンと同一のパターンでＤＣ１０ＶからＤＣ２．５Ｖに降下させることができる。
【００７１】
親機３の電圧検出部３１１ａは、子機／親機ラインＬ2bの当該ライン上に重畳されている子機待受給電の電圧レベルが、図２（Ｃ）に示す第１のパターンでＤＣ１０ＶからＤＣ２．５Ｖに降下されたことを検出し、この電圧降下のパターン情報を親機制御部３１２に送信する。
【００７２】
親機３の親機制御部３１２において、パターン識別回路３１２ａは、電圧検出部３１１ｂからのパターン情報が入力されたとき、通話が成立している子機１ａを使用した来訪者とは異なる別途の来訪者による子機１ｂからの呼び出しがあること、又は滞留感知センサ２ｂにて検知される人の動きに異常が発生したことのうち、何れかの状態であるとの認識について、子機接続切替スイッチ３１０のスイッチング状態、すなわち、子機／親機ラインＬ2a及び親機Ｉ／Ｆ３１３間の双方向の信号伝送路を形成するスイッチング状態を保持しつつ、また、子機電源供給部３０７から子機１ａへの図２（Ａ）、（Ｂ）に示すＤＣ２０Ｖの子機本給電の電源供給を保持した状態で行うことができる。これにより、親機制御部３１２は、子機／親機ラインＬ1aを経由して有線接続された子機１ａ及び親機３の間で成立中の通話動作を停止させることなく、さらには、子機１ｂへの子機本給電をせず省電力化が図られた状態で、親機スピーカ３０３の使用による呼出報知を行うことにより、通話が成立している子機１ａを使用した来訪者とは異なる別途の来訪者による子機１ｂからの呼び出しがあること、又は滞留感知センサ２ｂにて検知される人の動きに異常が発生したことの報知が同一のパターンで行われることになる。
【００７３】
次に、前述の第１の動作で明らかな子機１ａの子機操作部１００を構成する呼出ボタン１００ａを操作した来訪者と住戸内に在室中の居住者との間で通話が成立している場合の動作（以下、第６の動作という。）として、滞留感知センサ２ｂにて人の検知動作が開始される、又は検知動作が終了すると、この動作開始又は動作終了をセンサ側子機Ｉ／Ｆ１１０を経由して検出した子機１ｂの子機制御部１０８は、電圧パターン化部１０７を制御して、子機／親機ラインＬ2bの当該ライン上に重畳されている子機待受給電の電圧レベルを所定のパターンで降下させる。例えば、図２（Ｄ）に示すように、前述の第２の動作時（動作開始時）における第２のパターンと同一のパターンでＤＣ１０ＶからＤＣ２．５Ｖに降下させることができる。
【００７４】
親機３の電圧検出部３１１ｂは、子機／親機ラインＬ2bの当該ライン上に重畳されている子機待受給電の電圧レベルが、図２（Ｄ）に示す第２のパターンでＤＣ１０ＶからＤＣ２．５Ｖに降下されたことを検出し、この電圧降下のパターン情報を親機制御部３１２に送信する。
【００７５】
親機３の親機制御部３１２において、パターン識別回路３１２ａは、電圧検出部３１１ｂからのパターン情報が入力されたとき、滞留感知センサ２ｂにて人の検知動作が開始されたこと、又は検知動作が終了したことを識別できるものの、その識別結果についての確認報知は、子機／親機ラインＬ1aを経由して有線接続された子機１ａ及び親機３の間で成立中の通話動作を保持させることと比較して優先度が低いため、当該確認報知が行われることはない。
【００７６】
本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。例えば、複数の子機は、２台の子機１ａ、１ｂに限定されず、より複数台の子機を適用することもできる。また、子機に有線又は無線接続されるセンサは、滞留感知センサ２ａ、２ｂに限定されず、例えば、住戸外の照度レベルを検知する照度センサを適用することもできる。この照度センサを適用するにあたっては、照度レベルの相違に対応させた信号を親機に送信し、所定値以下の照度レベルの場合には照明を点灯させることができる。
【図面の簡単な説明】
【００７７】
【図１】図１は、本発明の実施例によるインターホン装置の具体的な構成を示すブロック図である。
【図２】図２（Ａ）、（Ｂ）、（Ｃ）、（Ｄ）はそれぞれ、本発明の実施例によるインターホン装置において、子機及び親機の間を有線接続する伝送路上に重畳される電源の電圧レベルの遷移を示す説明図である。
【符号の説明】
【００７８】
１ａ、１ｂ……複数の子機
１００ａ……呼出ボタン
１０８……子機制御部
１０８ａ……電圧監視回路
１０８ｂ……子機データ送受信回路（データ送受信回路）
１１０……センサ側子機Ｉ／Ｆ（センサ接続Ｉ／Ｆ）
２ａ、２ｂ……滞留感知センサ
３……親機
３１１ａ、３１１ｂ……電圧検出部
３１２……親機制御部
３１２ａ……パターン識別回路
３１２ｂ……親機データ送受信回路（データ送受信回路）
【図１】
0005129629.tif 000002
【図２】
0005129629.tif 000003